(57)【要約】【課題】製造工程が簡便、低コストで、且つ広帯域な入力インピーダンス特性を実現し、大規模なアンテナアレーにも応用可能なアンテナ装置及びその製造方法を提供する。【解決手段】放射キャビティー１５を有する放射キャビティー基板１０と、給電導波路２５を有する給電導波路基板２０とが、金属層３２を介して積層された積層構造３０を有し、誘電体基板１１の両面の導体層１２，１３のうち、給電導波路２５側の導体層１３は、放射キャビティー１５側の開口となる第１の開口１６を有し、ガラス基板２１の両面の導体層２２，２３のうち、放射キャビティー１５側の導体層２２は、給電導波路２５側の開口となる第２の開口２６を有し、金属層３２は、第１の開口１６及び第２の開口２６と重なり合う領域に、第１の開口１６及び第２の開口２６よりも広く形成された第３の開口３３を有する。【選択図】図１
2018042175.tif 000002
【特許請求の範囲】
【請求項１】
放射キャビティーを有する放射キャビティー基板と、給電導波路を有する給電導波路基板とが、金属層を介して積層された積層構造を有し、
前記放射キャビティー基板は、前記放射キャビティーの内部を構成する誘電体基板と、前記誘電体基板の両面の導体層と、前記放射キャビティーの面内方向の周囲を囲むポスト壁とを備え、
前記給電導波路基板は、前記給電導波路の内部を構成するガラス基板と、前記ガラス基板の両面の導体層と、前記給電導波路の面内方向の周囲を囲むポスト壁とを備え、
前記誘電体基板の両面の導体層のうち、前記給電導波路側の導体層は、前記放射キャビティー側の開口となる第１の開口を有し、
前記ガラス基板の両面の導体層のうち、前記放射キャビティー側の導体層は、前記給電導波路側の開口となる第２の開口を有し、
前記金属層は、前記第１の開口及び前記第２の開口と重なり合う領域に、前記第１の開口及び前記第２の開口よりも広く形成された第３の開口を有することを特徴とするアンテナ装置。
【請求項２】
前記第１の開口及び前記第２の開口は、誘電体材料で充填されていることを特徴とする請求項１に記載のアンテナ装置。
【請求項３】
前記第１の開口と、前記第２の開口とが、それぞれ異なる誘電体材料で充填されていることを特徴とする請求項２に記載のアンテナ装置。
【請求項４】
前記第１の開口と、前記第２の開口とが、同一の誘電体材料で充填されていることを特徴とする請求項２に記載のアンテナ装置。
【請求項５】
前記給電導波路のガラス基板がシリカガラス又は合成石英からなり、前記放射キャビティーの誘電体基板が前記ガラス基板の比誘電率の±１以内の比誘電率を有する樹脂材料からなることを特徴とする請求項１〜４のいずれか１項に記載のアンテナ装置。
【請求項６】
前記金属層が、半田層であることを特徴とする請求項１〜５のいずれか１項に記載のアンテナ装置。
【請求項７】
放射キャビティーを有する放射キャビティー基板と、給電導波路を有する給電導波路基板とが、金属層を介して積層された積層構造を有するアンテナ装置の製造方法であって、
前記放射キャビティーの内部を構成する誘電体基板と、前記誘電体基板の両面の導体層と、前記放射キャビティーの面内方向の周囲を囲むポスト壁とを備え、前記誘電体基板の両面の導体層のうち、前記給電導波路側の導体層は、前記放射キャビティー側の開口となる第１の開口を有する放射キャビティー基板を準備する工程と、
前記給電導波路の内部を構成するガラス基板と、前記ガラス基板の両面の導体層と、前記給電導波路の面内方向の周囲を囲むポスト壁とを備え、前記ガラス基板の両面の導体層のうち、前記放射キャビティー側の導体層は、前記給電導波路側の開口となる第２の開口を有する給電導波路基板を準備する工程と、
前記放射キャビティー基板と、前記給電導波路基板とを、前記第１の開口及び前記第２の開口と重なり合う領域に、前記第１の開口及び前記第２の開口よりも広く形成された第３の開口を有する金属層を介して、積層する工程と、
を有することを特徴とするアンテナ装置の製造方法。
【請求項８】
前記第１の開口及び前記第２の開口を誘電体材料で充填することを特徴とする請求項７に記載のアンテナ装置の製造方法。
【請求項９】
前記第１の開口と、前記第２の開口とを、それぞれ誘電体材料で充填した後、前記放射キャビティー基板と、前記給電導波路基板とを、前記金属層を介して、積層することを特徴とする請求項８に記載のアンテナ装置の製造方法。
【請求項１０】
前記第１の開口と、前記第２の開口とのいずれか一方に、前記第１の開口及び前記第２の開口を充填可能な誘電体材料を設けた後、前記放射キャビティー基板と、前記給電導波路基板とを、前記金属層を介して、積層することを特徴とする請求項８に記載のアンテナ装置の製造方法。
【請求項１１】
前記給電導波路のガラス基板がシリカガラス又は合成石英からなり、前記放射キャビティーの誘電体基板が前記ガラス基板の比誘電率の±１以内の比誘電率を有する樹脂材料からなることを特徴とする請求項７〜１０のいずれか１項に記載のアンテナ装置の製造方法。
【請求項１２】
前記金属層が、半田層であることを特徴とする請求項７〜１１のいずれか１項に記載のアンテナ装置の製造方法。
【発明の詳細な説明】
【技術分野】
【０００１】
本発明は、アンテナ装置及びその製造方法に関する。
【背景技術】
【０００２】
特許文献１，２には、複数の誘電体層を積層することで積層型の開口面アンテナを実現する技術が記載されている。これらの文献からは、スロットと自由空間との放射界面で両者のインピーダンスの不整合を解消するため、スロットを取り囲むように貫通導体群で囲まれる空洞状の開口部を配置することでアンテナを実現したことが読み取れる。
【先行技術文献】
【特許文献】
【０００３】
【特許文献１】特開２００１−１６０２７号公報
【特許文献２】特開平１１−２３９０１７号公報
【発明の概要】
【発明が解決しようとする課題】
【０００４】
しかしながら、上記の従来技術には、次の問題があった。
（１）空洞（開口部）を利用しているため、誘電体基板の穴あけ工程等が必要となり、工程が煩雑になる。
（２）複数の誘電体層を積層する工程が煩雑になる。
【０００５】
本発明は、上記の問題点を解決すべく案出されたものであり、製造工程が簡便、低コストで、且つ広帯域な入力インピーダンス特性を実現し、大規模なアンテナアレーにも応用可能なアンテナ装置及びその製造方法を提供することを課題とする。
【課題を解決するための手段】
【０００６】
前記課題を解決するため、本発明は、放射キャビティーを有する放射キャビティー基板と、給電導波路を有する給電導波路基板とが、金属層を介して積層された積層構造を有し、前記放射キャビティー基板は、前記放射キャビティーの内部を構成する誘電体基板と、前記誘電体基板の両面の導体層と、前記放射キャビティーの面内方向の周囲を囲むポスト壁とを備え、前記給電導波路基板は、前記給電導波路の内部を構成するガラス基板と、前記ガラス基板の両面の導体層と、前記給電導波路の面内方向の周囲を囲むポスト壁とを備え、前記誘電体基板の両面の導体層のうち、前記給電導波路側の導体層は、前記放射キャビティー側の開口となる第１の開口を有し、前記ガラス基板の両面の導体層のうち、前記放射キャビティー側の導体層は、前記給電導波路側の開口となる第２の開口を有し、前記金属層は、前記第１の開口及び前記第２の開口と重なり合う領域に、前記第１の開口及び前記第２の開口よりも広く形成された第３の開口を有することを特徴とするアンテナ装置を提供する。
【０００７】
前記アンテナ装置において、前記第１の開口及び前記第２の開口は、誘電体材料で充填されている構成を採用することも可能である。
前記アンテナ装置において、前記第１の開口と、前記第２の開口とが、それぞれ異なる誘電体材料で充填されている構成を採用することも可能である。
前記アンテナ装置において、前記第１の開口と、前記第２の開口とが、同一の誘電体材料で充填されている構成を採用することも可能である。
前記アンテナ装置において、前記給電導波路のガラス基板がシリカガラス又は合成石英からなり、前記放射キャビティーの誘電体基板が前記ガラス基板の比誘電率の±１以内の比誘電率を有する樹脂材料からなる構成を採用することも可能である。
前記アンテナ装置において、前記金属層が、半田層である構成を採用することも可能である。
【０００８】
また、本発明は、放射キャビティーを有する放射キャビティー基板と、給電導波路を有する給電導波路基板とが、金属層を介して積層された積層構造を有するアンテナ装置の製造方法であって、前記放射キャビティーの内部を構成する誘電体基板と、前記誘電体基板の両面の導体層と、前記放射キャビティーの面内方向の周囲を囲むポスト壁とを備え、前記誘電体基板の両面の導体層のうち、前記給電導波路側の導体層は、前記放射キャビティー側の開口となる第１の開口を有する放射キャビティー基板を準備する工程と、前記給電導波路の内部を構成するガラス基板と、前記ガラス基板の両面の導体層と、前記給電導波路の面内方向の周囲を囲むポスト壁とを備え、前記ガラス基板の両面の導体層のうち、前記放射キャビティー側の導体層は、前記給電導波路側の開口となる第２の開口を有する給電導波路基板を準備する工程と、前記放射キャビティー基板と、前記給電導波路基板とを、前記第１の開口及び前記第２の開口と重なり合う領域に、前記第１の開口及び前記第２の開口よりも広く形成された第３の開口を有する金属層を介して、積層する工程と、を有することを特徴とするアンテナ装置の製造方法を提供する。
【０００９】
前記アンテナ装置の製造方法において、前記第１の開口及び前記第２の開口を誘電体材料で充填する構成を採用することも可能である。
前記アンテナ装置の製造方法において、前記第１の開口と、前記第２の開口とを、それぞれ誘電体材料で充填した後、前記放射キャビティー基板と、前記給電導波路基板とを、前記金属層を介して、積層する構成を採用することも可能である。
前記アンテナ装置の製造方法において、前記第１の開口と、前記第２の開口とのいずれか一方に、前記第１の開口及び前記第２の開口を充填可能な誘電体材料を設けた後、前記放射キャビティー基板と、前記給電導波路基板とを、前記金属層を介して、積層する構成を採用することも可能である。
前記アンテナ装置の製造方法において、前記給電導波路のガラス基板がシリカガラス又は合成石英からなり、前記放射キャビティーの誘電体基板が前記ガラス基板の比誘電率の±１以内の比誘電率を有する樹脂材料からなる構成を採用することも可能である。
前記アンテナ装置の製造方法において、前記アンテナ装置において、前記金属層が、半田層である構成を採用することも可能である。
【発明の効果】
【００１０】
本発明によれば、第１の開口を有する放射キャビティー基板と、第２の開口を有する給電導波路基板とを、第１の開口及び第２の開口よりも広く形成された第３の開口を有する金属層を介して、積層させることにより、積層ずれの影響を抑制でき、製造工程が簡便、低コストで、且つ広帯域な入力インピーダンス特性を実現することができ、大規模なアンテナアレーにも応用可能である。
【図面の簡単な説明】
【００１１】
【図１】本発明のアンテナ装置の一例を模式的に示す断面図である。
【図２】本発明のアンテナ装置の一例を模式的に示す斜視図である。
【図３】金属層に設けられた第３の開口を示す斜視図である。
【図４】アンテナ装置の開口位置ずれの一例を示す断面図である。
【図５】金属層が第３の開口の周囲にのみ形成された例を示す断面図である。
【図６】開口を誘電体材料で充填する工程の第１の例を模式的に示す断面図である。
【図７】開口を誘電体材料で充填する工程の第２の例を模式的に示す断面図である。
【図８】実施例１〜３のアンテナ装置の入力インピーダンス特性を示すグラフである。
【図９】実施例４及び比較例１のアンテナ装置の入力インピーダンス特性を示すグラフである。
【図１０】比較例１〜３のアンテナ装置の入力インピーダンス特性を示すグラフである。
【発明を実施するための形態】
【００１２】
以下、好適な実施形態に基づき、図面を参照して本発明を説明する。
図１は、本実施形態のアンテナ装置を模式的に例示する断面図である。また、図２は、図１の断面構造を有するアンテナ装置の斜視図の一例である。また、図３は、金属層に設けられた第３の開口を示すため、アンテナ装置から放射キャビティー基板の図示を省略した斜視図である。図２又は図３のＸＹ面内（Ｚ軸に垂直な方向）は、基板の面に沿った面内方向である。
【００１３】
本実施形態のアンテナ装置は、放射キャビティー基板１０と、給電導波路基板２０とが、金属層３２を介して積層された積層構造３０を有する。上部の放射キャビティー基板１０には、放射キャビティー１５が形成されている。また、下部の給電導波路基板２０には、給電導波路２５が形成されている。給電導波路２５の上部には、放射キャビティー１５が開口３１を介して配置されている。開口３１の形状は、例えば、長辺（Ｘ方向）と短辺（Ｙ方向）を有するスロット状である。
なお、以下の明細書では、放射キャビティー基板１０及び給電導波路基板２０を総称して、「両基板１０，２０」という場合がある。
【００１４】
放射キャビティー基板１０は、誘電体基板１１と、誘電体基板１１の両面の導体層１２，１３と、放射キャビティー１５の面内方向の周囲を囲むポスト壁１４を備える。誘電体基板１１としては、樹脂基板、ガラス基板、セラミック基板、樹脂−ガラス等の複合材料基板が挙げられる。導体層１２，１３は、金属箔等の導体から構成することができる。放射キャビティー１５が誘電体基板１１で構成（充填）されているため、従来技術のような空洞（開口部）が不要であり、空洞を形成するための穴あけ工程等を省略することができる。また、空洞が空気（比誘電率＝１）で充填される場合と比べて、放射キャビティー１５と給電導波路２５との比誘電率の差を小さくすることができる。
【００１５】
放射キャビティー基板１０のポスト壁１４は、誘電体基板１１に埋設された導体から構成することができる。具体的には、誘電体基板１１の厚さ方向を貫通するスルーホール（孔）の内面に導体を成膜し、又はスルーホールの内部に導体を充填して形成される貫通導体の列から、ポスト壁１４を構成することができる。ポスト壁１４の上下両端がそれぞれ導体層１２，１３に電気的に接続されることにより、放射キャビティー１５の内部が導体層１２，１３及びポスト壁１４に囲まれる。放射キャビティー１５が基板の厚さ方向で単層の誘電体層から構成されることにより、放射キャビティー基板１０の構造が単純になり、低コスト化に寄与できる。
【００１６】
給電導波路基板２０は、ガラス基板２１と、ガラス基板２１の両面の導体層２２，２３と、給電導波路２５の面内方向の周囲を囲むポスト壁２４を備える。給電導波路基板２０の誘電体基板として、ガラス基板２１を採用することにより、給電導波路２５の損失を低減することができる。導体層２２，２３は、金属箔等の導体から構成することができる。ガラス基板２１を構成するガラス材料の誘電正接は、例えば給電導波路２５により伝送される電気信号の周波数において、１０−４台であることが好ましい。ガラス基板２１の構成材料としては、例えば、シリカガラス、合成石英等が挙げられる。なお、図２中、ポスト壁１４と重なり合う箇所において、ポスト壁２４の一部の図示は省略されている。
【００１７】
給電導波路基板２０のポスト壁２４は、ガラス基板２１に埋設された導体から構成することができる。具体的には、ガラス基板２１の厚さ方向を貫通するスルーホール（孔）の内面に導体を成膜し、又はスルーホールの内部に導体を充填して形成される貫通導体の列から、ポスト壁２４を構成することができる。ポスト壁２４の上下両端がそれぞれ導体層２２，２３に電気的に接続されることにより、給電導波路２５の内部が導体層２２，２３及びポスト壁２４に囲まれる。給電導波路２５が基板の厚さ方向で単層の誘電体層から構成されることにより、給電導波路基板２０の構造が単純になり、低コスト化に寄与できる。
【００１８】
導体層１２，１３，２２，２３及びポスト壁１４，２４を構成する導体は、電気抵抗の低い金属であることが好ましく、具体例としては、金（Ａｕ）、銀（Ａｇ）、銅（Ｃｕ）、アルミニウム（Ａｌ）、これらの１種以上を含む合金等が好ましい。これらの導体と誘電体基板１１、ガラス基板２１との密着性を高めるため、間に密着層としてチタン（Ｔｉ）やクロム（Ｃｒ）等の膜を設けてもよい。
ポスト壁１４，２４の貫通導体が形成されるスルーホール（孔）の断面形状は特に限定されず、円形孔、矩形孔、長孔、スリット孔等が挙げられる。ポスト壁１４，２４に沿った貫通導体の間隔は、電気信号を外部に漏洩しないように適宜設定される。
【００１９】
放射キャビティー基板１０と給電導波路基板２０の接合のため、例えば導体層１３と導体層２２との間に金属層３２が設けられる。これにより、導体層１３と導体層２２とを電気的に接続することができる。放射キャビティー基板１０の導体層１２，１３及び給電導波路基板２０の導体層２２，２３を接地する場合には、基板ごとに導体を接地してもよく、一方の基板を接地電位に、他方の基板を一方の基板に直列的に接続してもよい。
【００２０】
金属層３２を構成する金属としては、導体層１３，２２と同種又は異種の金属が挙げられる。導体層１３，２２と同種の金属の具体例としては、金（Ａｕ）、銀（Ａｇ）、銅（Ｃｕ）、アルミニウム（Ａｌ）、これらの１種以上を含む合金等が好ましい。金属層３２は、半田層であってもよい。半田層を構成する半田としては、Ｓｎ，Ｐｂ，Ｚｎ，Ｇａ，Ｉｎ，Ｂｉ等の低融点金属、又はこれらの１種以上を含む合金が挙げられる。金属層３２は、導体層であれば、半田層であっても、半田以外の金属層であってもよい。
【００２１】
給電導波路２５と放射キャビティー１５との間には、開口３１が形成されている。この開口３１により、電磁波（信号）を給電導波路２５から放射キャビティー１５に伝搬させることができる。この開口３１は、放射キャビティー１５側の開口である第１の開口１６と、給電導波路２５側の開口である第２の開口２６と、金属層３２の開口である第３の開口３３とから構成されている。
【００２２】
給電導波路２５の上流側には、給電ポート２７が設けられている。給電ポート２７に信号を伝搬させるための構造（図示せず）としては、例えば導体ピン、マイクロストリップ線路、導波管、ポスト壁導波路等を有してもよい。電気信号（電磁波）を給電ポート２７から開口２６まで伝搬させる際は、１つの給電ポート２７から１つの開口２６に連絡してもよく、１つの給電ポート２７から２つ以上の開口２６に連絡してもよい。給電導波路２５は、１段階又は２段階以上の分岐構造（図示せず）を有してもよい。
【００２３】
放射キャビティー基板１０の上部（外部空間側）の導体層１２は、開口１６に対向した放射開口面１７を有する。放射開口面１７を有する放射キャビティー１５により、開口面アンテナが構成される。このアンテナは、送信用、受信用いずれにも使用可能である。
放射開口面１７の面積は、ポスト壁１４で囲まれる放射キャビティー１５の断面積と同等又はそれ以下であればよいが、放射開口面１７の面積が開口１６の面積よりも広いと、電磁波（信号）を外部空間に放射しやすく（又は外部空間から入射させやすく）なり、好ましい。
【００２４】
第１の開口１６は、ポスト壁１４で囲まれる放射キャビティー１５の領域内において、放射キャビティー基板１０の下部（給電導波路２５側）の導体層１３に形成されている。
また、第２の開口２６は、ポスト壁２４で囲まれる給電導波路２５の領域内において、給電導波路基板２０の上部（放射キャビティー１５側）の導体層２２に形成されている。
また、第３の開口３３は、第１の開口１６及び第２の開口２６よりも広く形成され、第３の開口３３が、第１の開口１６及び第２の開口２６の両方と重なり合う領域に設けられている。
【００２５】
第３の開口３３が、面内方向において、第１の開口１６及び第２の開口２６の両方を含む範囲に広がっている。すなわち、面内方向における第１の開口１６の範囲は第３の開口３３の範囲内に含まれ、また、第２の開口２６の範囲も第３の開口３３の範囲内に含まれている。これにより、図４に示すように、第１の開口１６と第２の開口２６との位置（例えば中心位置又は周縁位置）が面内方向にずれた場合にも、第３の開口３３を通じて第１の開口１６と第２の開口２６とが連絡（接続）される。また、両基板１０，２０の面内方向のずれに対して、アンテナ装置の入力特性への影響を低減することができる。
【００２６】
第３の開口３３の周囲に金属層３２が形成される幅は特に限定されず、金属層３２が放射キャビティー１５及び給電導波路２５の領域を含む、面内方向の全面的に形成されてもよい。また、図５に示すように、第３の開口３３の周囲に形成された金属層３２が、金属層３２が放射キャビティー１５及び給電導波路２５の領域の一部にのみ形成されてもよい。両基板１０，２０間の導体層１３，２２の間で、金属層３２の周囲には、金属層３２が形成されない空隙部３４が設けられてもよい。第３の開口３３の形状及び機能に関与しない領域では、金属層３２が、縞状、帯状、島状など、所望のパターン状又は不規則形状であってもよい。
【００２７】
放射キャビティー基板１０は、例えばプリント基板（ＰＣＢ）から構成することができる。放射キャビティー１５を構成する誘電体基板１１の比誘電率は、給電導波路２５を構成するガラス基板２１の比誘電率と近いことが好ましい。放射キャビティー１５の誘電体基板１１を構成する材料の比誘電率が、給電導波路２５のガラス基板２１を構成する材料の比誘電率に対して、例えば±１以内、±０．５以内などであることが好ましい。ガラスに近い誘電率を有する樹脂材料として、ポリフェニレンエーテル樹脂、変性ポリフェニレンエーテル樹脂又はこれらの樹脂に無機フィラーを配合した組成物が挙げられる。具体例として、パナソニック社の商品名ＭＥＧＴＲＯＮ（登録商標）が挙げられる。
【００２８】
本実施形態のアンテナ装置によれば、放射キャビティー基板１０及び給電導波路基板２０からなる基板計２層の積層構造３０により、製造工程が簡便、低コストで、且つ広帯域な入力インピーダンス特性を実現することが可能である。
【００２９】
給電導波路２５がガラス基板２１から構成されることにより、大規模なアンテナアレーシステムを構成する場合でも、給電ロスを極力抑えることができる。一方、放射キャビティー１５を構成する誘電体基板１１は、誘電正接が２×１０−２程度など、比較的損失の大きい材料を用いても、アンテナの放射効率を９０％超とすることができる。従って、給電導波路２５には低損失な誘電体材料、放射キャビティー１５には比較的損失が大きい低価格な誘電体材料を用いても、高性能で、構造が簡便、安価なアンテナ装置を実現することが可能である。
【００３０】
図１に示す積層構造３０においては、開口３１が空気等の気体で充填されてもよいが、比誘電率が１より大きい誘電体材料が開口３１に充填されてもよい。開口３１を誘電体材料で充填する工程は、特に限定されないが、両基板１０，２０を積層する際に、第１の開口１６又は第２の開口２６の一方又は両方に、誘電体材料が配置されてもよい。この誘電体材料が、金属層３２内の第３の開口３３の一部又は全部に充填されてもよい。
【００３１】
第１の例として、図６に、放射キャビティー基板１０側の開口１６には誘電体材料１８が充填され、給電導波路基板２０側の開口２６には誘電体材料２８が充填された例を示す。両方の開口１６，２６を対向させ、金属層３２（図示略）を介在させて、両基板１０，２０を積層することにより、基板間の隙間４０が閉じて、図１、図４、図５等と同様な積層構造３０が得られる。
【００３２】
放射キャビティー基板１０側の誘電体材料１８を導体層１３より厚膜にするか、給電導波路基板２０側の誘電体材料２８を導体層２２より厚膜にすることにより、誘電体材料１８，２８の一方又は両方が、金属層３２の第３の開口３３内に突出していてもよい。誘電体材料１８，２８は、金属層３２の開口３３の一部又は全部に充填されてもよい。
積層後の積層構造３０において、誘電体材料１８，２８が互いに接触していてもよく、誘電体材料１８，２８の間に隙間が生じていてもよい。
放射キャビティー基板１０側の誘電体材料１８と、給電導波路基板２０側の誘電体材料２８とは、同一の材料でもよく、異なる材料でもよい。
【００３３】
放射キャビティー基板１０側の誘電体材料１８としては、ソルダーレジスト等のレジスト材料を利用することが好ましい。なぜなら、放射キャビティー基板１０をプリント基板の製造技術に基づいて製作する際に、レジスト材料を容易に利用することができ、誘電体材料１８の準備及び充填工程を別途用意する必要がないためである。例えば、開口１６を有する導体層１３を形成する際に、開口１６の位置に設けるレジスト材料を残して、誘電体材料１８とすることもできる。
【００３４】
給電導波路基板２０側の誘電体材料２８としては、樹脂材料等のパッシベーション材料を利用することが好ましい。なぜなら、給電導波路基板２０をガラス基板２１の加工技術に基づいて製作する際に、パッシベーション材料を容易に利用することができ、誘電体材料２８の準備及び充填工程を別途用意する必要がないためである。パッシベーション材料としては、ポリイミド等の樹脂材料、酸化物等の無機材料が挙げられる。
【００３５】
第２の例として、図７には、放射キャビティー基板１０側の開口１６に、導体層１３より厚膜で、給電導波路基板２０側の開口２６の充填も可能な誘電体材料３８を充填する例を示す。開口１６，２６を対向させ、金属層３２（図示略）を介在させて、両基板１０，２０を積層することにより、基板間の隙間４０が閉じて、図１、図４、図５等と同様な積層構造３０が得られる。
【００３６】
なお、図７では、導体層１３より厚膜の誘電体材料３８を放射キャビティー基板１０側の開口１６に配置した例を示したが、これとは逆に、導体層２２より厚膜の誘電体材料３８を給電導波路基板２０側の開口２６に配置することも可能である。いずれの場合も、放射キャビティー基板１０側の開口１６と、給電導波路基板２０側の開口２６とを、同一の材料で充填することができる。この誘電体材料３８は、金属層３２の開口３３の一部又は全部に充填されてもよい。
また、別の例として、両基板１０，２０の一方に配置する誘電体材料３８を、２種以上の誘電体材料から構成した後、両基板１０，２０を積層することも可能である。
【００３７】
開口１６，２６，３１，３３を充填するための誘電体材料１８，２８，３８は、比誘電率が１より大きい誘電体材料であることが好ましい。空気の比誘電率は約１（約１．０００５８５）であるが、開口充填用の誘電体材料の比誘電率として、例えば１．５〜１５程度が挙げられる。開口１６，２６，３１，３３に２種類又は３種類以上の誘電体材料が配置されてもよい。
【００３８】
放射キャビティー基板１０の誘電体基板１１を構成する材料の比誘電率をε１、給電導波路基板２０のガラス基板２１を構成する材料の比誘電率をε２とするとき、誘電体材料１８，２８，３８の比誘電率ε３としては、ε１−１≦ε３≦ε１＋１、ε２−１≦ε３≦ε２＋１、ｍｉｎ（ε１，ε２）≦ε３≦ｍａｘ（ε１，ε２）、ｍｉｎ（ε１，ε２）−１≦ε３≦ｍａｘ（ε１，ε２）＋１等の範囲内であることが好ましい。これにより、低損失の帯域を広げることができる。ここで、ｍｉｎ（ａ，ｂ）はａ及びｂの最小値を表し、ｍａｘ（ａ，ｂ）はａ及びｂの最大値を表す。
【００３９】
第１の開口１６を有する放射キャビティー基板１０と、第２の開口２６を有する給電導波路基板２０とを、第３の開口３３を有する金属層３２を介して、積層するための方法としては、拡散接合等による固体金属間の接合、半田等の溶融金属を用いた接合が挙げられる。
【００４０】
拡散接合等を用いる場合は、開口を有する金属箔などにより、第３の開口３３を有する金属層３２を構成し、両基板１０，２０間の導体層１３，２２の間に、開口３３を有する金属層３２を挟み込み、導体層１３と金属層３２と導体層２２とを直接接合させる方法が挙げられる。
【００４１】
半田を用いる場合は、両基板１０，２０間の導体層１３，２２の一方又は両方の上に、あらかじめ半田を設けてから両基板１０，２０間を閉じて加熱し、半田を溶融させ、その後、冷却により半田を固化させる方法が挙げられる。また、両基板１０，２０間を閉じる際に、両基板１０，２０間に溶融半田、粒状半田等の半田を供給してもよい。半田を供給する前には、あらかじめ第３の開口３３となる領域にソルダーレジスト等の誘電体材料を設けてもよい。金属層３２の形成範囲は、ソルダーレジストの有無に限らず、半田の供給量、フラックス（塗布）の有無等によっても調整可能である。
【００４２】
金属層３２の厚さは、特に限定されないが、例えば１０〜１００μｍが挙げられる。開口１６，２６，３３の寸法（例えば、図２〜３のｘ３，ｙ３，ｘ４，ｙ４等）や寸法比（例えばｘ３：ｙ３、ｘ４：ｙ４、ｘ３：ｘ４、ｙ３：ｙ４等）は適宜調整可能である。放射キャビティー１５側と給電導波路２５側の導体層１３，２２の開口１６，２６の寸法は、同一であるとは限らず、異ならせることも可能である。開口１６，２６の寸法が異なる場合も、各寸法や寸法比は適宜調整可能である。
【００４３】
以上、本発明を好適な実施形態に基づいて説明してきたが、本発明は上述の実施形態に限定されるものではなく、本発明の要旨を逸脱しない範囲で種々の改変が可能である。
【００４４】
上述の実施形態において、対向する放射キャビティー基板１０の導体層１３と、給電導波路基板２０の導体層２２と、これらの間の金属層３２とは、それぞれ別の層として図示したが、これらを１層としてもよい。例えば、２つの基板の接合後に、導体層１３，２２及び金属層３２が一体化して界面が不明瞭であっても、製造物の構造及び機能としては異なることはない。
【００４５】
すなわち、本実施形態のアンテナ装置は、放射キャビティー１５と給電導波路２５とが、基板の厚さ方向に積層された積層構造３０を有し、放射キャビティー１５及び給電導波路２５の間に開口３１を有する１層又は２層以上の導体層（上述の実施形態における導体層１３，２２，３２に相当）と、放射キャビティー１５の内部を構成する誘電体基板１１と、誘電体基板１１の開口３１とは反対側の面を覆う導体層１２と、放射キャビティー１５の面内方向の周囲を囲むポスト壁１４と、給電導波路２５の内部を構成するガラス基板２１と、ガラス基板２１の開口３１とは反対側の面を覆う導体層２３と、給電導波路２５の面内方向の周囲を囲むポスト壁２４とを備え、開口３１が、基板の厚さ方向の中間部において、基板に接する側よりも広く形成された構造であってもよい。
【００４６】
第３の開口が、第１の開口及び第２の開口よりも広くされる方向は、面内方向の全周であってもよく、開口の長手方向（長辺に沿う方向）等、特定の方向であってもよい。
また、本発明により設計した各実施例のアンテナ装置は、例えば、Ｅ−ｂａｎｄ（７１〜８６ＧＨｚ）等、所望の帯域をすべてカバーするように設計することが可能である。
【実施例】
【００４７】
以下、実施例をもって本発明を具体的に説明する。なお、本発明は、これらの実施例に限定されるものではない。
【００４８】
図８の実施例１，２のグラフは、図１〜３に記載の構成を電磁波解析し、アンテナの入力インピーダンス特性を計算した結果である。
放射開口面１７の寸法は、ｘ１＝１８００μｍ、ｙ１＝２０００μｍと設定した。
給電導波路２５の幅寸法ｘ２は、１７００μｍと設定した。
放射キャビティー１５と給電導波路２５との間において、導体層１３，２２の開口３１（第１の開口１６及び第２の開口２６）の寸法は、ｘ３＝８７５μｍ、ｙ３＝４２４μｍと設定した。また、金属層３２の開口（第３の開口３３）の寸法は、ｘ４＝６２４μｍ、ｙ４＝１０７５μｍと設定した。
【００４９】
誘電体基板１１は、厚さ６００μｍで、比誘電率３．７、誘電正接０．００４の誘電材料から構成されていると設定した。
ガラス基板２１は、厚さ５３６μｍで、比誘電率３．８２、誘電正接０．０００３３６のガラス材料から構成されていると設定した。
給電導波路２５と放射キャビティー１５との間において、放射キャビティー１５側の導体層１３の厚さは２０μｍ、給電導波路２５側の導体層２２の厚さは１０μｍ、金属層３２の厚さは３０μｍと設定した。実施例１，２では、開口１６，２６，３３全体が空気（比誘電率１、誘電正接０）で満たされている。
【００５０】
図８の実施例１は、図１に示すように、面内方向における第１の開口１６と第２の開口２６との間に変位がない場合である。図８の実施例２は、図４に示すように、第１の開口１６と第２の開口２６との間の変位がＸ方向に５０μｍの場合である。
実施例１，２の結果を比べると、｜Ｓ１１｜≦−２０ｄＢとなる周波数の帯域幅は、変位により劣化する（帯域幅が狭くなる）ものの、反射レベルは、変位により改善している。後述する比較例２の結果でみられた大きな特性の劣化は、実施例２には認められない。これは、給電導波路２５と放射キャビティー１５との間に、導体層１３，２２の開口１６，２６よりも一回り大きい寸法の開口３３を有する金属層３２が挿入されていることにより、構造変動に対する特性感度が小さくなったためと考えられる。
【００５１】
図８の実施例３では、Ｘ方向の変位５０μｍ、放射キャビティー１５側の導体層１３の厚さ２０μｍ、給電導波路２５側の導体層２２の厚さ１０μｍ、金属層３２の厚さ３０μｍと設定されている点は、実施例２と同様であるが、加えて、放射キャビティー１５側の開口１６には、厚さ４０μｍのソルダーレジスト（比誘電率３．５、誘電正接０．０４）が配置されている。ソルダーレジストの一部は、導体層１３の厚さを超えて、金属層３２の開口３３内まで突出している。実施例３によれば、変位による特性変動が抑制されている。なお、レジスト等の誘電体材料を開口１６，２６，３３に導入する形態は、様々考えられ、給電導波路２５側の開口２６に誘電体材料を導入してもよく、放射キャビティー１５側と給電導波路２５側の両方の開口１６，２６に誘電体材料を導入してもよい。
【００５２】
図９の実施例４には、金属層３２の開口３３の寸法は、ｘ４＝１４２４μｍ、ｙ４＝１８７５μｍと設定し、それ以外は実施例１と同様にした場合の結果を示す。実施例４でも、実施例１、２と同様に、広帯域で優れた特性を有することが分かる。なお、同様な解析をｘ４＝６２４〜１４２４μｍ、ｙ４＝１０７５〜１８７５μｍの範囲で複数実施したところ、同様に優れた特性を示すことが計算結果から分かっている。金属層３２の開口３３の寸法は、１４２４μｍ×１８７５μｍより大きくすることができる。金属層３２の開口３３を大きくすると、実施例１，２に比べて格段と特性が改善し、別の効果を有することが明らかになった。
【００５３】
図９及び図１０の比較例１は、金属層３２とその開口３３を省略し、給電導波路２５と放射キャビティー１５との間において、導体層１３，２２を拡散接合等により直接接合した場合を示す。また、図１０の比較例２，３は、比較例１と同様にして導体層１３，２２を拡散接合等により直接接合した際、開口１６，２６間に変位が生じた場合を示す。比較例２の変位はＸ方向に５０μｍ、比較例３の変位はＹ方向に５０μｍと設定した。
比較例１〜３の結果から、金属層３２及びその開口３３を省略した場合には、変位により特性変動（劣化）がみられた。特にＸ方向の変位（比較例２）は、特性に大きく影響（劣化）を及ぼすことが分かる。
【符号の説明】
【００５４】
１０…放射キャビティー基板、１１…誘電体基板、１２，１３，２２，２３…導体層、１４，２４…ポスト壁、１５…放射キャビティー、１６…第１の開口、１７…放射開口面、１８，２８，３８…誘電体材料、２０…給電導波路基板、２１…ガラス基板、２５…給電導波路、２６…第２の開口、２７…給電ポート、３０…積層構造、３１…開口、３２…金属層、３３…第３の開口、３４…空隙部、４０…隙間。
【図１】
2018042175.tif 000003
【図２】
2018042175.tif 000004
【図３】
2018042175.tif 000005
【図４】
2018042175.tif 000006
【図５】
2018042175.tif 000007
【図６】
2018042175.tif 000008
【図７】
2018042175.tif 000009
【図８】
2018042175.tif 000010
【図９】
2018042175.tif 000011
【図１０】
2018042175.tif 000012